(57)【要約】【課題】架台フレームとフロアープレートとのあいだの空間部に、燃料タンクとバッテリとを隣接して配するにあたり、燃料タンクおよびバッテリを固定するための固定部材の兼用化を図る。【解決手段】架台フレーム５とフロアプレート７とのあいだに固定用ブラケット３５を支架し、該固定用ブラケット３５の下側固定片３５ｂに、バッテリ１９を固定するための係止片３３を一体的に形成する一方、固定用ブラケット３５の上下方向中間部に、燃料タンク２０の移動規制をするための規制用プレート３６を設けた。【選択図】        図４
2004324229.tif 000002
【特許請求の範囲】
【請求項１】
架台フレームとフロアープレートとのあいだの空間部に、燃料タンクとバッテリとを隣接して配するにあたり、バッテリを架台フレームに固定支持するためのバッテリ固定部を有するブラケットに、燃料タンクの移動規制をするためのタンク規制部を一体的に設けたことを特徴とする建設機械。
【請求項２】
請求項１において、ブラケットは、架台フレームとフロアプレートとのあいだに、下端側が架台フレームに止着され、上端側がフロアプレートに止着される状態で支架されることを特徴とする建設機械。
【請求項３】
請求項２において、ブラケットは、架台フレームに止着される下端側にバッテリ固定部を有する一方、架台フレームとフロアプレートとのあいだの中間部位にタンク規制部を有することを特徴とする建設機械。
【請求項４】
請求項１から３の何れかにおいて、燃料タンクは、空間部の側方から外部に取出すことができる一方、ブラケットのタンク規制部は、燃料タンクの取出し方向の移動規制を行うべく取出し方向手前側に設けられると共に、該取出し方向手前側から着脱できる構成であることを特徴とする建設機械。
【発明の詳細な説明】
【０００１】
【発明の属する技術分野】
本発明は、油圧ショベル等の建設機械の技術分野に属するものである。
【０００２】
【従来の技術】
一般に、油圧ショベル等の建設機械には、作動油タンク、燃料タンク、エンジン、油圧ポンプ、ラジエータ、バルブ類、バッテリ等の各種機械装置が搭載されるが、特に小型の機種にあっては、これら機械装置の配置スペースを確保するために種々の提案がなされている。
このような提案として、従来、架台フレームとフロアープレートとのあいだの空間部に、燃料タンクおよびバッテリを隣接する状態で配したものが知られている（例えば、特許文献１参照。）。この場合、燃料タンクおよびバッテリは架台フレームに固定支持されることになるため、燃料タンクおよびバッテリ用の固定部材が必要となる。
一方、建設機械におけるバッテリの固定装置としては、架台フレームにバッテリが載置されるバッテリ台を固定し、該バッテリ台に、バッテリを固定するための挿通孔や開口、凸部を形成したものが提唱されている（例えば、特許文献２参照）。
また、架台フレームとフロアープレートとのあいだの空間部に配される燃料タンクの固定する装置としては、固定バンドを用いたものが知られている（例えば、特許文献３参照。）が、この場合、架台フレームには、バンドの端部を固定するためのバンド固定用ブラケットや、燃料タンクの揺動やズレを防止するためのブラケットが取付けられることになる。
【０００３】
【特許文献１】
特許第３３１１９７０号公報
【特許文献２】
特開２００１−３２９５６７号公報
【特許文献３】
特開２００１−２８８７７８号公報
【０００４】
【発明が解決しようとする課題】
ところで、前記特許文献１のように、架台フレームとフロアープレートとのあいだの空間部に、燃料タンクおよびバッテリを隣接する状態で配する場合、燃料タンクやバッテリ自体の占有スペースに加えて、特許文献２や特許文献３に示されるような固定部材（バッテリ台やバンド固定用ブラケット、ズレ防止用ブラケット等）の取付けスペースが必要となる。しかしながら、特に小型の機種にあっては、架台フレームとフロアープレートとのあいだの空間部は狭く、これら固定部材の取付けスペースを確保することが難しいという問題があり、ここに本発明が解決しようとする課題があった。
【０００５】
【課題を解決するための手段】
本発明は、上記の如き実情に鑑み、これらの課題を解決することを目的として創作されたものであって、架台フレームとフロアープレートとのあいだの空間部に、燃料タンクとバッテリとを隣接して配するにあたり、バッテリを架台フレームに固定支持するためのバッテリ固定部を有するブラケットに、燃料タンクの移動規制をするためのタンク規制部を一体的に設けたことを特徴とするものである。
そして、この様にすることにより、バッテリおよび燃料タンクを固定するための固定部材の兼用化が図れて、部品点数の削減に貢献できると共に、固定部材を取付けるために確保しなければならないスペースも小さくすることができる。
このものにおいて、ブラケットは、架台フレームとフロアプレートとのあいだに、下端側が架台フレームに止着され、上端側がフロアプレートに止着される状態で支架することにより、ブラケットがフロアプレートを架台フレームに支持するための支持フレームとしての機能を果たすこともできるという利点がある。
また、ブラケットは、架台フレームに止着される下端側にバッテリ固定部を有する一方、架台フレームとフロアプレートとのあいだの中間部位にタンク規制部を有する構成にすることができる。
さらに、燃料タンクは、空間部の側方から外部に取出すことができる一方、ブラケットのタンク規制部は、燃料タンクの取出し方向の移動規制を行うべく取出し方向手前側に設けられると共に、該取出し方向手前側から着脱できる構成にすることにより、メンテナンス時等に燃料タンクを取出すときの作業が容易となり、メンテナンス性が向上する。
【０００６】
【発明の実施の形態】
次に、本発明の実施の形態を図面に基づいて説明する。図面において、１は油圧ショベルであって、該油圧ショベル１は、クローラ式の下部走行体２、該下部走行体２に旋回自在に支持される上部旋回体３、該上部旋回体３に装着される作業部４等の各部から構成されている等の基本的構成は従来通りである。
【０００７】
５は前記上部旋回体の架台フレーム（旋回フレーム）であって、該架台フレーム５の左側前半部の上方には、架台フレーム５に立設される支持フレーム６を介してフロアプレート（運転席床板）７が支持されている。そしてこのフロアプレート７の上面には、オペレータが座するシート８やコンソールボックス９が載置されるシートサポート１０、操作ペダル１１等が配置されている。尚、以下の説明における前後左右は、シート８に座したオペレートから視たときの方向である。
【０００８】
前記架台フレーム５とフロアプレート７とのあいだは空間部Ｓを存しているが、該空間部Ｓの後方は、隔壁１３を介して上部旋回体３の後半部に配されるエンジン室１４から区隔されている。また、空間部Ｓの右方には、作業部４が取付け支持される取付けフレーム１５が立設されている。さらに、空間部Ｓの前方および左方はフェンダー１６により覆蓋されているが、該フェンダー１６は、架台フレーム５の下方から螺入されるボルト１７を介して架台フレーム５に着脱自在に取付けられている。
【０００９】
さらに、前記架台フレーム５とフロアプレート７とのあいだの空間部Ｓには、旋回モータ１８、バッテリ１９、燃料タンク２０等の部材装置が収納されているが、該燃料タンク２０は、その後面部２０ａが隔壁１３に対面し、また左面部２０ｂが架台フレーム５の左側縁部に略沿う状態で、空間部Ｓの後半部左側に配されている。尚、燃料タンク２０の後面部２０ａの左側部分は、隔壁１３よりも後方に突出している。また、燃料タンク２０の前面部は、左右方向中央部が略フラット状に形成され、該フラット状部２０ｄよりも左側の部分は前方に突出（該フラット状部２０ｄよりも左側の部分を、以下、左側突出部２０ｅと称する）し、フラット状部２０ｄよりも右側の部分は燃料タンク２０の右方に配される旋回モータ１８に干渉しないように凹んだ形状をしている。
【００１０】
前記燃料タンク２０は、樹脂成形により形成されるものであって、前記空間部Ｓに収納でき、且つ空間部Ｓへの出入れを容易に行うことができるよう側面視においてフラットな形状をしている。また、燃料タンク２０の左側後部には連結口２０ｆが形成されており、該連結口２０ｆには、先端側に給油口２１が取り付けられた成形ホース２２の基端側が連結用バンド２２ａを介して着脱自在に連結されている。この成形ホース２２の先端側は、シートサポート１０の左方を覆う左サイドカバー２３に開設される開口２３ａまで伸びており、該開口２３ａから給油口２１に給油することができるようになっている。さらに、燃料タンク２０には、前面部のフラット状部２０ｄから上面部２０ｇに亘って、後述する左右の固定バンド２４が係合する二本の凹溝２０ｈが左右に並列する状態で形成されている。
【００１１】
前記固定バンド２４は、可撓性を有する薄板状の鋼板によって形成されており、燃料タンク２０と接触する部分はラバーバンド２４ａによって被覆されている。この固定バンド２４の一端側には、左右方向を向く係止棒２５が溶着されており、また固定バンド２４の他端側には、下半部に螺子部２６ａを有する螺子体２６の上半部が溶着されている。
【００１２】
一方、空間部Ｓとエンジン室１４とを区隔する隔壁１３は、前述したように燃料タンク２０の後面部２０ａに対面しているが、該隔壁１３には、燃料タンク２０を設置した状態で該燃料タンク２０の二本の凹溝２０ｈの後方側の部位に、左右一対の係止用フック２７が固着されている。そして、該係止用フック２７に固定バンド２４の係止棒２５を引っ掛けることにより、固定バンド２４の一端側を隔壁１３に係脱自在に係止できるように構成されている。
【００１３】
また、架台フレーム５には、燃料タンク２０を設置した状態で該燃料タンク２０の二本の凹溝２０ｈの前方側の部位に、左右一対の係止用ブラケット２８が固着されており、該係止用ブラケット２８には、前記固定バンド２４の螺子体２６が挿通される挿通孔２８ａが穿設されている。そして、該挿通孔２８ａに螺子体２６の螺子部２６ａを挿通せしめてダブルナット２９で緊締することにより、固定バンド２４の他端側を架台フレーム５に係止できるように構成されている。
【００１４】
而して、燃料タンク２０は、該燃料タンク２０の凹溝２０ｆに係合する固定バンド２４の一端側を、係止用フック２７に係止棒２５を引っ掛けることで隔壁１３に係止する一方、固定バンド２４の他端側を、係止用ブラケット２８に螺子体２６を固定することで架台フレーム５に係止することにより、固定バンド２４を介して架台フレーム５に固定支持されるようになっている。尚、図中、３０は燃料タンク２０の下側に敷設されるゴム材等からなる弾性板である。
【００１５】
一方、前述したように、架台フレーム５とフロアプレート７とのあいだの空間部Ｓにはバッテリ１９も収納されているが、該バッテリ１９は、燃料タンク２０の前面部のフラット状部２０ｄの前方に、該フラット状部２０ｄに対して略平行となる状態で配されている。
【００１６】
３１は前記バッテリ１９の上面部に載置される固定用プレートであって、該固定用プレート３１の左右両端部はバッテリ１９の左右端から外方に突出しており、該突出部には貫通孔（図示せず）が穿設されている。また、３２は上端部に螺子部３２ａを有し、下端部にフック３２ｂを有する左右の固定用ロッドであって、該左右の固定用ロッド３２のフック３２ｂを架台フレーム５側に固定される後述の左右の係止片３３にそれぞれ係止した状態で、螺子部３２ａを前記固定用プレート３１の左右の貫通孔にそれぞれ貫通せしめ、固定プレート３１の上側からダブルナット３４を螺合して緊締することにより、バッテリ１９を架台フレーム５と固定用プレート３１とのあいだに挟持固定できるように構成されている。一方、メンテナンス等のためのバッテリ１９を取外す場合には、前記ダブルナット３４を弛めて固定用プレート３１を取外せば良い。
【００１７】
前記係止片３３は、固定用ロッド３２のフック３２ｂが係止する係止孔３３ａが穿設されたものであって、該係止片３３のうち右側の固定用ロッド３２が係止する右側の係止片３３は、バッテリ１９の右側方に位置するように架台フレーム５に一体的に固着されている。一方、左側の固定用ロッド３２が係止する左側の係止片３３は、後述する固定用ブラケット３５の下端側固定片３５ｂに一体的に形成されている。
【００１８】
前記固定用ブラケット３５は、燃料タンク２０の前面部の左側突出部２０ｅの前方で、且つバッテリ１９の後部の左方となる位置に、架台フレーム５とフロアプレート７とのあいだに支架される状態で立設されているが、該固定用ブラケット３５の上下端部には上側固定片３５ａ、下側固定片３５ｂがそれぞれ折曲形成されている。そして、上側固定片３５ａはフロアプレート７にボルト止めされる一方、下側固定片３５ｂは架台フレーム５にボルト止めされているが、該下固定片３５ｂは、バッテリ１９の左側面に沿うようにして前方に伸びており、その先端部に、前記左側の係止片３３が一体的に形成されている。
【００１９】
さらに、前記固定用ブラケット３５の上下方向中間部には、燃料タンク２０の移動（位置ズレ）を規制するための規制用プレート３６の基端部が一体的に固着されている。この規制用プレート３６の先端側は、燃料タンク２０の前面部の左側突出部２０ｅに沿うようにして左方に伸びてから後方に向けて折曲されており、その先端部には、ゴム材等により形成される弾性材３７が固着されている。そして、該規制用プレート３６に固着された弾性材３７は、燃料タンク２０の左面部２０ｂの上下方向中間部に当接するように構成されており、これによって、燃料タンク２０の左方向への移動（位置ズレ）を規制して燃料タンク２０を安定支持できるようになっている。
【００２０】
また、３８は架台フレーム５に溶着される位置決め用のストッパープレートであって、該ストッパープレート３８は、燃料タンク２０の前面部のフラット状部２０ｄの右端角部に当接するように設定されている。
【００２１】
次いで、前記空間部Ｓに収納された燃料タンク２０を、清掃等のメンテナンス作業時に外部に取出す場合について説明する。
まず、空間部Ｓの前方および左方を覆蓋するフェンダー１６を架台フレーム５から取外す。これにより、空間部Ｓの側方（前側方および左側方）が開口して、外部からバッテリ１９および燃料タンク２０、さらに固定用ブラケット３５を望める状態となる。
次に、固定用ロッド３２の螺子部３２ａに螺合するダブルナット３４を弛めて、左側の固定用ロッド３２のフック３２ｂを左側の係止片３３から取外す。しかる後、固定用ブラケット３５の上側固定片３５ａおよび下側固定片３５ｂのボルトを弛めて、固定用ブラケット３５をフロアプレート７および架台フレーム５から取外す。
次いで、固定バンド２４の他端側の螺子体２６に螺合するダブルナット２９を弛めて、固定バンド２４の締付けを緩める。この場合、螺子体２６を係止用ブラケット２８から取外す必要はなく、固定バンド２４が弛んだ状態となれば良い。この状態で、固定バンド２４の一端側の係止棒２５を係止用フック２７から取外して、固定バンド２４による燃料タンク２０の固定を解除する。さらに、連結用バンド２２ａを弛めて燃料タンク２０の連結口２０ｆから成形ホース２２を取外す。しかる後、燃料タンク２０を隔壁１３に沿うようにして左側方に引出して、油圧ショベル１の外部に取出す。
【００２２】
一方、前記外部に取出した燃料タンク２０を空間部Ｓに収納する場合には、燃料タンク２０の後面部２０ａを隔壁１３に沿わせるようにして空間部Ｓ内に押入れると、燃料タンク２０の前面部のフラット状部２０ｄの右端角部がストッパープレート３０に当接し、これにより燃料タンク２０は位置決めされた状態になると共に、該ストッパプレート３０により燃料タンク２０の前方および右方への移動（位置ズレ）が規制される。
次いで、固定バンド２４を燃料タンク２０の凹溝２０ｈに係合するよう掛回してから、固定バンド２４の一端側の係止棒２５を係止用フック２７に引っ掛け、その後、固定バンド２４の他端側の螺子体２６に螺合するダブルナット２９を緊締することで、固定バンド２４による燃料タンク２０の固定がなされる。さらに、燃料タンク２０の連結口２０ｆに成形ホース２２を連結して、連結用バンド２２ａで固定する。
次に、固定用ブラケット３５の上側固定片３５ａ、下側固定片３５ｂをフロアプレート７、架台フレーム５にそれぞれボルト止めして、固定用ブラケット３５を取付ける。これにより、固定用ブラケット３５に固着される規制用プレート３６による燃料タンク２０の左方への移動（位置ズレ）規制がなされる。
さらに、下側固定片３５ｂに固着される左側の係止片３３に左側固定ロッド３２のフック３２ｂを係止してからダブルナット３４を緊締して、バッテリ１９を固定する。その後、下側フェンダー１６を架台フレーム５に取付けることにより、燃料タンク２０は空間部Ｓに固定支持された状態で収納されることになる。
【００２３】
叙述の如く構成されたものにおいて、架台フレーム５とフロアプレート７とのあいだの空間部Ｓには、バッテリ１９と燃料タンク２０とが前後に隣接する状態で配されているが、上記バッテリ１９を架台フレーム５に固定するための左側の係止片３３と燃料タンク２０の移動を規制するための規制プレート３６とは、共に固定用ブラケット３５に取付けられている。この結果、バッテリ１９および燃料タンク２０を固定する固定部材の兼用化が図れて、部品点数の削減に貢献できると共に、固定部材のために確保しなければならないスペースを小さくすることができ、省スペース化を達成できる。
【００２４】
また、前記固定用ブラケット３５に取付けられる規制用プレート３６は、メンテナンス時等において燃料タンク２０を空間部Ｓの側方から外部に取出すときの取出し方向に配されていて、該方向への燃料タンク２０の移動規制を行うものであるため、燃料タンク２０を外部に取出すときには固定用ブラケット３５を取外すことになるが、この場合に固定用ブラケット３５は、空間部Ｓの側方から着脱できる構成になっているため、固定用ブラケット３５の着脱作業を容易に行うことができる。
【００２５】
さらに、前記固定用ブラケット３５は、上端部がフロアプレート７に止着され、下端部が架台フレーム５に止着される状態でフロアプレート７と架台フレーム５とのあいだに支架されているため、フロアプレート７を架台フレーム５に支持するための支持フレームとしての機能も果たすことになって、更なる部材の兼用化を達成できるという利点がある。
【００２６】
尚、本発明は上記実施の形態に限定されないことは勿論であって、規制用プレート３６を固定用ブラケット３５に着脱自在に取付けることもでき、この様にした場合には、燃料タンク２０を外部に引すときに、固定用ブラケット３５はそのままで規制用プレート３６のみを取外せば良いことになって、作業性の向上に寄与できる。
また、本実施の形態では、バッテリ固定部を有するブラケットに設けられるタンク規制部として、燃料タンクの引出し方向の移動規制を行う規制プレートを例示したが、他の方向の移動規制を行うものでも良く、さらには、燃料タンクを固定する固定バンドを係止するための係止部材をタンク規制部の一つとして見做して、ブラケットに固定バンド用係止部材を一体的に設ける構成にすることもできる。
【図面の簡単な説明】
【図１】油圧ショベルの側面図である。
【図２】架台フレームとフロアプレートとのあいだの空間部を示す平面図である。
【図３】図２のＸ矢視である。
【図４】図２のＹ矢視である。
【図５】図２のＺ−Ｚ断面図である。
【図６】（Ａ）、（Ｂ）は燃料タンクの正面図、側面図である。
【図７】（Ａ）、（Ｂ）は固定バンドの正面図、一部側面図、（Ｃ）は（Ａ）のＸ−Ｘ断面図である。
【符号の説明】
５    架台フレーム
７    フロアプレート
１９    バッテリ
２０    燃料タンク
３３    係止片
３５    固定用ブラケット
３５ａ  上側固定片
３５ａ  下側固定片
３６    規制用プレート
Ｓ    空間部
【図１】
2004324229.tif 000003
【図２】
2004324229.tif 000004
【図３】
2004324229.tif 000005
【図４】
2004324229.tif 000006
【図５】
2004324229.tif 000007
【図６】
2004324229.tif 000008
【図７】
2004324229.tif 000009